【手続補正書】
【提出日】令和2年6月10日(2020.6.10)
【手続補正１】
【補正対象書類名】明細書
【補正対象項目名】０００７
【補正方法】変更
【補正の内容】
【０００７】
上記の課題を解決するため、本発明の排水ポンプの取付構造は、排水ポンプと、該排水ポンプを被取付体としての天井板に取付ける少なくとも１つの取付手段とを備え、該排水ポンプを前記天井板の下側に配置する排水ポンプの取付構造であって、前記排水ポンプは、回転羽根と、該回転羽根を収容するハウジングと、該ハウジングの上部に取付けられたカバーと、該カバーに収容され、前記回転羽根を回転させるモータと、を有し、前記取付手段は、前記カバーと別体または一体に構成された取付部材であって、前記カバーおよび前記天井板の少なくとも一方より曲げ弾性率が小さい取付部材であり、前記排水ポンプは、前記取付部材によって、前記カバーが前記天井板に接触しかつ該天井板に対して移動可能なように遊びを設けて取付けられることを特徴とする。
【手続補正２】
【補正対象書類名】明細書
【補正対象項目名】０００８
【補正方法】変更
【補正の内容】
【０００８】
本発明において、前記取付部材は、前記カバーと別体であり、前記排水ポンプは、前記取付部材の一方の端部が前記天井板に係止されかつ他方の端部が前記カバーに係止されることにより、該天井板に取付けられることが好ましい。
【手続補正３】
【補正対象書類名】明細書
【補正対象項目名】０００９
【補正方法】変更
【補正の内容】
【０００９】
本発明において、前記取付部材の前記一方の端部は、前記天井板に設けられた貫通孔に挿通されるとともに、該貫通孔の縁部に引っ掛かることが好ましい。
【手続補正４】
【補正対象書類名】明細書
【補正対象項目名】００１０
【補正方法】変更
【補正の内容】
【００１０】
本発明において、前記取付部材の前記一方の端部は、外側に膨らむ幅広部を有し、前記天井板の貫通孔は、前記取付部材の前記一方の端部が挿通可能な形状を有する挿通部と、前記挿通部に連なり前記幅広部の幅より小さい幅を有するスリット部と、を有していることが好ましい。
【手続補正５】
【補正対象書類名】明細書
【補正対象項目名】００１１
【補正方法】変更
【補正の内容】
【００１１】
本発明において、前記取付部材の前記一方の端部は、外側に膨らむ幅広部を有するとともに、複数の弾性片を構成するようにスリットが形成され、前記複数の弾性片は、前記一方の端部の中心側に弾性変形された状態で前記天井板の貫通孔に挿入されることが好ましい。
【手続補正６】
【補正対象書類名】明細書
【補正対象項目名】００１２
【補正方法】変更
【補正の内容】
【００１２】
本発明において、前記取付部材の前記他方の端部は、前記カバーに設けられた貫通孔に挿通されるとともに、該貫通孔の縁部に引っ掛かることが好ましい。
【手続補正７】
【補正対象書類名】明細書
【補正対象項目名】００１３
【補正方法】変更
【補正の内容】
【００１３】
本発明において、前記取付部材の前記他方の端部は、外側に膨らむ幅広部を有するとともに、複数の弾性片を構成するようにスリットが形成され、前記複数の弾性片は、前記他方の端部の中心側に弾性変形された状態で前記カバーの貫通孔に挿入されることが好ましい。
【手続補正８】
【補正対象書類名】明細書
【補正対象項目名】００１４
【補正方法】変更
【補正の内容】
【００１４】
本発明において、前記取付部材は、前記カバーと一体に設けられ、前記排水ポンプは、前記取付部材の端部が前記天井板に係止されることにより、該天井板に取付けられることが好ましい。
【手続補正９】
【補正対象書類名】明細書
【補正対象項目名】００１５
【補正方法】変更
【補正の内容】
【００１５】
本発明において、前記取付部材の端部は、前記天井板に設けられた貫通孔に挿通されるとともに、該貫通孔の縁部に引っ掛かることが好ましい。
【手続補正１０】
【補正対象書類名】明細書
【補正対象項目名】００１６
【補正方法】変更
【補正の内容】
【００１６】
本発明において、前記取付部材の端部は、外側に膨らむ幅広部を有し、前記天井板の貫通孔は、前記取付部材の端部が挿通可能な形状を有する挿通部と、前記挿通部に連なり前記幅広部の幅より小さい幅を有するスリット部と、を有していることが好ましい。
【手続補正１１】
【補正対象書類名】明細書
【補正対象項目名】００１７
【補正方法】変更
【補正の内容】
【００１７】
本発明において、前記取付部材の端部は、外側に膨らむ幅広部を有するとともに、複数の弾性片を構成するようにスリットが形成され、前記複数の弾性片は、前記端部の中心側に弾性変形された状態で前記天井板の貫通孔に挿入されることが好ましい。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
本発明によれば、排水ポンプは、取付手段である取付部材によって、カバーが被取付体としての天井板に接触しかつ該天井板に対して移動可能なように遊びを設けて取付けられる。このようにしたことから、排水ポンプのカバーが天井板に接触するものの、排水ポンプが天井板に対して完全には固定されず、遊びにより移動可能であるので、排水ポンプの振動がカバーから天井板に伝搬する際に減衰される。そのため、排水ポンプが取付けられる天井板へのモータの振動の伝搬を抑制することができ、動作時の静粛性を図ることができる。
【手続補正１４】
【補正対象書類名】特許請求の範囲
【補正対象項目名】全文
【補正方法】変更
【補正の内容】
【特許請求の範囲】
【請求項１】
排水ポンプと、該排水ポンプを被取付体としての天井板に取付ける少なくとも１つの取付手段とを備え、該排水ポンプを前記天井板の下側に配置する排水ポンプの取付構造であって、
前記排水ポンプは、回転羽根と、該回転羽根を収容するハウジングと、該ハウジングの上部に取付けられたカバーと、該カバーに収容され、前記回転羽根を回転させるモータと、を有し、
前記取付手段は、前記カバーと別体または一体に構成された取付部材であって、前記カバーおよび前記天井板の少なくとも一方より曲げ弾性率が小さい取付部材であり、
前記排水ポンプは、前記取付部材によって、前記カバーが前記天井板に接触しかつ該天井板に対して移動可能なように遊びを設けて取付けられることを特徴とする排水ポンプの取付構造。
【請求項２】
前記取付部材は、前記カバーと別体であり、
前記排水ポンプは、前記取付部材の一方の端部が前記天井板に係止されかつ他方の端部が前記カバーに係止されることにより、該天井板に取付けられることを特徴とする請求項１に記載の排水ポンプの取付構造。
【請求項３】
前記取付部材の前記一方の端部は、前記天井板に設けられた貫通孔に挿通されるとともに、該貫通孔の縁部に引っ掛かることを特徴とする請求項２に記載の排水ポンプの取付構造。
【請求項４】
前記取付部材の前記一方の端部は、外側に膨らむ幅広部を有し、
前記天井板の貫通孔は、前記取付部材の前記一方の端部が挿通可能な形状を有する挿通部と、前記挿通部に連なり前記幅広部の幅より小さい幅を有するスリット部と、を有していることを特徴とする請求項３に記載の排水ポンプの取付構造。
【請求項５】
前記取付部材の前記一方の端部は、外側に膨らむ幅広部を有するとともに、複数の弾性片を構成するようにスリットが形成され、
前記複数の弾性片は、前記一方の端部の中心側に弾性変形された状態で前記天井板の貫通孔に挿入されることを特徴とする請求項３に記載の排水ポンプの取付構造。
【請求項６】
前記取付部材の前記他方の端部は、前記カバーに設けられた貫通孔に挿通されるとともに、該貫通孔の縁部に引っ掛かることを特徴とする請求項２〜請求項５のいずれか一項に記載の排水ポンプの取付構造。
【請求項７】
前記取付部材の前記他方の端部は、外側に膨らむ幅広部を有するとともに、複数の弾性片を構成するようにスリットが形成され、
前記複数の弾性片は、前記他方の端部の中心側に弾性変形された状態で前記カバーの貫通孔に挿入されることを特徴とする請求項６に記載の排水ポンプの取付構造。
【請求項８】
前記取付部材は、前記カバーと一体に設けられ、
前記排水ポンプは、前記取付部材の端部が前記天井板に係止されることにより、該天井板に取付けられることを特徴とする請求項１に記載の排水ポンプの取付構造。
【請求項９】
前記取付部材の端部は、前記天井板に設けられた貫通孔に挿通されるとともに、該貫通孔の縁部に引っ掛かることを特徴とする請求項８に記載の排水ポンプの取付構造。
【請求項１０】
前記取付部材の端部は、外側に膨らむ幅広部を有し、
前記天井板の貫通孔は、前記取付部材の端部が挿通可能な形状を有する挿通部と、前記挿通部に連なり前記幅広部の幅より小さい幅を有するスリット部と、を有していることを特徴とする請求項９に記載の排水ポンプの取付構造。
【請求項１１】
前記取付部材の端部は、外側に膨らむ幅広部を有するとともに、複数の弾性片を構成するようにスリットが形成され、
前記複数の弾性片は、前記端部の中心側に弾性変形された状態で前記天井板の貫通孔に挿入されることを特徴とする請求項９に記載の排水ポンプの取付構造。